(57)【要約】【課題】デジタルスチルカメラ（ＤＳＣ）の撮像データを高画質で出力できるうえに、その出力すべきＤＳＣの撮像データの対象を簡易迅速に選定して出力することができ、また、撮像データ以外の撮影関連データについても必要に応じて適宜出力することができる画像形成装置を提供する。【解決手段】画像処理手段においてＤＳＣのカメラデータを撮像データと撮影関連データとに分けて処理し、その撮像データに基づいて作像手段から出力される未定着トナー像を第１定着装置と第２定着装置の双方で定着させる一方で、その撮影関連データに基づいて作像手段から出力される未定着トナー像を少なくとも第１定着手段で定着させるという制御を実行し得る制御手段と、撮影関連データに基づく画像の形成のみを指示する指示機能と撮像データに基づいて出力する画像を選択して指示する指示機能を備えた指示手段等を具備させた。【選択図】　　図３
2004106417.tif 000002
【特許請求の範囲】
【請求項１】
デジタルスチルカメラの撮影による撮像データとそれ以外の撮影関連データからなるカメラデータを入力する第１入力手段と、
前記カメラデータ以外の画像データを入力する第２入力手段と、
前記第１入力手段または第２入力手段から入力されるカメラデータまたは画像データを所定の処理をして作像用データに変換する画像処理手段と、
この画像処理手段で変換された作像用データを未定着像として記録シートに出力する作像手段と、
この作像手段で出力された未定着像を記録シートに定着させる第１定着手段と、
この第１定着手段で定着された記録シート上の画像を再定着させる第２定着手段と、
前記画像処理手段において前記カメラデータを撮像データと撮影関連データとに分けて処理し、その撮像データに基づいて前記作像手段から出力される未定着画像を前記第１定着手段と第２定着手段の双方で定着させる一方で、その撮影関連データに基づいて前記作像手段から出力される未定着画像を少なくとも前記第１定着手段で定着させるという制御を実行し得る制御手段と、
前記撮影関連データに基づく画像の形成のみを指示する指示機能と、前記撮像データに基づいて出力する画像を選択して指示する指示機能を備えた指示手段とを有することを特徴とする画像形成装置。
【請求項２】
前記指示手段は、前記撮影関連データの少なくとも一部のデータに基づく画像を、前記撮像データに基づく画像が出力される記録シートに併せて出力する指示機能を備えている請求項１に記載の画像形成装置。
【請求項３】
前記指示手段は、前記撮影関連データの少なくとも一部のデータに基づく画像の記録シートへの出力面を指示する指示機能を備えている請求項２に記載の画像形成装置。
【請求項４】
前記第１定着手段と第２定着手段を、第１定着手段の定着処理可能な記録シートの搬送方向と直交する方向の最大サイズが第２定着装置の定着処理可能な記録シートの搬送方向と直交する方向の最大サイズよりも大きい関係となるように設定している請求項１〜３のいずれかに記載の画像形成装置。
【請求項５】
前記制御手段は、前記作像手段で出力する未定着像のサイズを第２定着手段における前記最大サイズと対比し、当該未定着像のサイズが第２定着手段における前記最大サイズと同等またはそれ以下のサイズに相当するときには、その未定着像を第１定着装置と第２定着装置の双方で定着させ、当該未定着像のサイズが第２定着手段における最大サイズよりも大きいサイズに相当するときには、その未定着像を第１定着手段のみで定着させるという制御を実行する請求項４に記載の画像形成装置。
【請求項６】
前記記録シートとして、少なくともそのシート片面にポリオレフィン系樹脂からなる受像層を形成したシートを使用する請求項１〜５のいずれかに記載の画像形成装置。
【発明の詳細な説明】
【０００１】
【発明の属する技術分野】
本発明は、電子写真方式、静電記録方式等を利用したプリンタ、複写機、ファクシミリ、複合機等に代表される画像形成装置に係り、特に、デジタルスチルカメラ（以下、ＤＳＣともいう）からのデータを取り込んで所望の形式で画像出力することが可能な画像形成装置に関するものである。
【０００２】
【従来の技術】
【特許文献１】特開平１０−１６４３５５号公報
【特許文献２】特開平５−２４９７９５号公報
【０００３】
従来、ＤＳＣにて撮影した画像を簡単な操作で素早くハードコピー化させる画像形成装置として、画像処理手段にＤＳＣで撮影された画像データを入力する入力手段を設け、その画像データを出力するデジタル画像形成装置が提案されている（例えば特許文献１参照）。また、この画像形成装置は、その画像データの出力に際し、１枚の用紙に画像データの１画像、全画像または指定した画像のみという出力形式を選択して指示することができる機能を備えている。
【０００４】
このような画像形成装置によれば、ＤＳＣで撮影した画像をデジタル複写機でコピーとして出力させる場合に、ＤＳＣとパーソナルコンピュータ（以下、ＰＣという）とデジタル複写機とを接続させ、その撮像データをＰＣ上で加工、編集して、その像をコピーとして出力させなければならないという、それまでに必要であった手間と時間のかかる作業を省略できるというものである。
【０００５】
しかし、この画像形成装置では、ＤＳＣの画像データの出力を通常のコピー出力と同じ手順（レベル）で行っているだけあり、写真のような画質の出力を行うための構成を何ら採用しておらず、その出力の画質に関しては期待できない。また、この画像形成装置では、画像データの出力形式を選択して指示できるが、特に指定した画像のみを出力する形式を利用する場合、その指定した画像を事前に確認するという直接的な手段がない。さらに、ＤＳＣでは、撮影時に、その撮像データのほかに、その撮影時における各種情報（撮影日時、撮影条件など）が自動的に付加されてデータとして保存されているが、上記画像形成装置ではこのような撮像データ以外のデータを出力する手段がない。このため、その撮像データ以外のデータを含めた管理を行う場合には、従前のとおりＰＣで管理用のソフトを使用した管理を行わなければならない。
【０００６】
また、本出願人は、環境の変動に対しても安定した高画質が得られ、優れたトナー像の定着性を達成しつつ、オフセットを防止した高光沢で高画質なカラー画像を得ることと低光沢で高画質な白黒画像を得ることを目的として、カラートナー像を定着する専用の定着手段と、黒トナー像を定着する専用の定着手段とを備えた画像形成装置について提案をしている（特許文献２参照）。
【０００７】
しかし、この画像形成装置は、単にカラートナー像と黒トナー像の定着手段を使い分け、その各像に適した画質（特に光沢度）を実現できることを主な目的としたものに止まり、ＤＳＣからのデータを取り込んで所望の形式で画像出力するための構成などを採用していない。
【０００８】
【発明が解決しようとする課題】
本発明は、以上のような問題を解消するためになされたものであり、その主な目的とするところは、ＤＳＣの撮像データを高画質で出力できるうえに、その出力すべき撮像データの対象を簡易迅速に選定して出力することができ、また、撮像データ以外の撮影関連データについても必要に応じて適宜出力することができる画像形成装置を提供することにある。
【０００９】
【課題を解決するための手段】
本発明の画像形成装置は、デジタルスチルカメラの撮影による撮像データとそれ以外の撮影関連データからなるカメラデータを入力する第１入力手段と、前記カメラデータ以外の画像データを入力する第２入力手段と、前記第１入力手段または第２入力手段から入力されるカメラデータまたは画像データを所定の処理をして作像用データに変換する画像処理手段と、この画像処理手段で変換された作像用データを未定着像として記録シートに出力する作像手段と、この作像手段で出力された未定着像を記録シートに定着させる第１定着手段と、この第１定着手段で定着された記録シート上の画像を再定着させる第２定着手段と、前記画像処理手段において前記カメラデータを撮像データと撮影関連データとに分けて処理し、その撮像データに基づいて前記作像手段から出力される未定着画像を前記第１定着手段と第２定着手段の双方で定着させる一方で、その撮影関連データに基づいて前記作像手段から出力される未定着画像を少なくとも前記第１定着手段で定着させるという制御を実行し得る制御手段と、前記撮影関連データに基づく画像の形成のみを指示する指示機能と前記撮像データに基づいて出力する画像を選択して指示する指示機能を備えた指示手段とを有することを特徴とするものである。
【００１０】
上記第２入力手段は、例えば原稿読取装置（スキャナ）、画像データを格納した記憶媒体の取り込み装置、画像データの通信装置などである。第２定着装置としては、特に光沢度の高い定着を行うことができるタイプの定着装置を適用することが好ましい。このような第２定着装置は、例えば、回転する定着ベルトと、この定着ベルトに未定着像を担持する記録シートを加熱密着させる加熱加圧手段と、この定着ベルトに密着している記録シートを冷却する冷却手段を備えた定着装置である。
【００１１】
このような画像形成装置では、上記指示手段による撮像データの出力画像の選択指示を、まず撮影関連データの出力として撮像データの全画像を１枚又は数枚の記録シートにまとめて出力する形式、いわゆるインデックス形式の出力を行った後に、そのインデックスの出力情報に基づいて行うことができる。これにより、撮像データのうちで必要な画像のみを第１定着手段と第２定着装置の双方で定着させた写真調の高画質な画像として入手することができる。
【００１２】
上記指示手段はいずれも、前記撮影関連データの少なくとも一部のデータに基づく画像を、前記撮像データに基づく画像が出力される記録シートに併せて出力する指示機能を備えた構成にするとよい。この場合、その一部のデータとしては、例えば、撮影日、撮影時間、撮影条件（シャッター速度、Ｆ値、露出補正値など）である。
【００１３】
さらに、上記指示手段はいずれも、前記撮影関連データの少なくとも一部のデータに基づく画像の記録シートへの出力面を指示する指示機能を備えた構成にするとよい。この場合、その記録シートの出力面とは、記録シートの表裏面のいずれか、またはその両面である。
【００１４】
また、上記各画像形成装置は、前記第１定着手段と第２定着手段を、第１定着手段の定着処理可能な記録シートの搬送方向と直交する方向の最大サイズが第２定着装置の定着処理可能な記録シートの搬送方向と直交する方向の最大サイズよりも大きい関係となるように設定した構成にするとよい。
【００１５】
このような設定からなる第１定着手段および第２定着手段を有する画像形成装置では、その制御手段について、前記作像手段で出力する未定着像のサイズを第２定着手段における前記最大サイズと対比し、当該未定着像のサイズが第２定着手段における前記最大サイズと同等またはそれ以下のサイズに相当するときには、その未定着像を第１定着装置と第２定着装置の双方で定着させ、当該未定着像のサイズが第２定着手段における最大サイズよりも大きいサイズに相当するときには、その未定着像を第１定着手段のみで定着させるという制御を実行する構成にするとよい。
【００１６】
以上の各画像形成装置においては、その記録シートとして、少なくともそのシート片面にポリオレフィン系樹脂からなる受像層を形成したシートを使用するとよい。この受像層を有する記録シートは、写真レベルの高画質な画像の形成が可能であり、このため撮像データの画像出力時に使用するとよい。
【００１７】
【発明の実施の形態】
《実施の形態１》
図１は本発明の実施の形態１に係るカラー画像形成装置を示すものである。
【００１８】
このカラー画像形成装置は、その筐体１の内部に、中間転写方式を利用した作像システム２、記録シートＰを供給する給紙ユニット３、第１定着装置４、第２定着装置５、画像処理ユニット６、制御ユニット７等が配設されている。また、その筐体１の外部には、原稿読取装置８、ＤＳＣデータの入力ユニット９、操作表示ユニット１００等が配設されている。
【００１９】
作像システム２は、イエロー（Ｙ）、マゼンタ（Ｍ）、シアン（Ｃ）およびブラック（Ｋ）の４色のトナー像を専用に形成する作像ユニット１０Ｙ、１０Ｍ、１０Ｃ、１０Ｋと、この４つの作像ユニット１０（Ｙ，Ｍ，Ｃ，Ｋ）で形成されるトナー像を担持して記録シートＰへの転写位置まで搬送する中間転写ベルト２０とで主に構成されている。
【００２０】
作像ユニット１０はいずれも、基本的に、表面に有機感光層等が形成されて矢印Ａ方向に回転する感光ドラム１１を有し、その感光ドラム１１に対して次のような電子写真プロセスにより未定着のトナー像を形成するものである。すなわち、まず回転する感光ドラム１１の表面が、ロール型等の帯電装置１２によって一様に帯電処理された後、その帯電表面に露光装置１３から作像データ信号に基づくレーザビームＬＢが走査露光されて静電潜像が形成される。次いで、その潜像が現像装置１４から供給される現像剤のトナー成分により現像されて所定の色のトナー像として顕像化される。このようにして各作像ユニット１０で形成されるトナー像は、その各感光ドラム１１と一次転写ロール１５の間を通過する中間転写ベルト２０に対し静電的に一次転写されるようになっている。転写後の感光ドラム１１の表面は、ドラム用クリーニング装置１６により清掃された後、ランプ方式等の除電装置１７により除電される。図中の符号１８（Ｙ，Ｍ，Ｃ，Ｋ）は、各現像装置１４に補給すべきトナーがそれぞれ収容されているトナーカートリッジである。
【００２１】
中間転写ベルト２０は、導電材等を含有させて体積抵抗率を調整したポリイミドフィルム等のベルト基材上にシリコーンゴム等の表面層を積層形成した２層構造の無端状のベルトである。そして、この中間転写ベルト２０は、駆動ロール２１、二次転写部のバックアップロール２２、複数の従動ロール２３、２４、…に張架されるとともにその従動ロール２３、２４の間で前記各作像ユニット１０の感光ドラム１１とそれぞれ接するような状態で配設され、矢印Ｂ方向に回転するようになっている。
【００２２】
給紙ユニット３は、複数枚の記録シートＰをそのサイズごとに分けて積載収容する複数の給紙カセット３１ａ，３１ｂを有するものである。この給紙ユニット３は、その給紙カセット３１から用紙送出装置３２により記録シートＰを１枚ずつ送り出し、複数の搬送ロール対やガイド部材等にて構成される給紙搬送路Ｒ１を通してレジストロール対３３まで搬送した後、そのレジストロール対３３により記録シートＰを二次転写タイミングに合わせて二次転写位置に送り込むようになっている。
【００２３】
記録シートＰは、この画像形成装置内を搬送可能であってトナー像の転写および定着が可能なものであれば特に制約されるものではない。この記録シートＰとしては、通常、Ａ４版、Ｂ５版等の規定サイズからなる普通紙Ｐ１やコート紙が使用される。また、後述するＤＳＣの撮像データに基づく画像（写真画像）の出力を行う場合には、図５に例示するようにシート状基材（普通紙、コート紙など）７１の少なくとも片面にポリエステル等のポリオレフィン系樹脂からなる透明な受像層７２を５〜２０μｍ程度の厚さに形成した写真用記録紙Ｐ２が使用される。このような写真用記録紙Ｐ２は、その受像層７２が形成された面が全面にわたって均一な光沢感を有するものとなる。
【００２４】
前記中間転写ベルト２０に転写されたトナー像は、そのベルト２０に担持された状態で上記バックアップロール２２と対向配置される二次転写ロール２５とベルト２０の間の二次転写位置まで搬送され、その二次転写位置に給紙ユニット３にて給紙カセット３１から搬送供給される所定サイズの記録シートＰ（ここでは前記した普通紙Ｐ１が供給されるものとする）に対して静電的に二次転写される。二次転写後の中間転写ベルト２０の表面は、ベルト用クリーニング装置２６により清掃される。
【００２５】
この画像形成装置では、前記４つの作像ユニット１０（Ｙ，Ｍ，Ｃ，Ｋ）でそれぞれ形成する４色のトナー像を中間転写ベルト２０に順次転写した後に、その多重トナー像を記録シートＰに一括して二次転写することにより、フルカラー画像を形成することが可能である。また、４つの作像ユニット１０（Ｙ，Ｍ，Ｃ，Ｋ）のうちで一部の作像ユニット、例えばブラック用の作像ユニット１０Ｋのみを作動させてブラックトナー像を形成し、中間転写ベルト２０を介して記録シートＰに転写させることにより白黒画像等の単色画像を形成したり、その他にも２〜３色のトナー像を混合した多色画像を形成することも可能である。
【００２６】
第１定着装置４は、基本的に加熱ロール４１と加圧ベルト４２とを圧接配置したものである。加熱ロール４１は、アルミニウム等からなる金属製円筒ロールに弾性層（例えばシリコーンゴム層）及び離型層（例えばＰＦＡチューブ）を被覆形成し、そのロール内部にハロゲンランプ等の加熱源を配置したものである。加圧ベルト４２は、ポリイミドフィルム等からなるベルト基材に離型層（例えばＰＦＡチューブ）を形成したものである。また、加圧ベルト４２の内部には、そのベルトを加熱ロール４１に押圧してニップを形成する加圧パッドが配置されている。
【００２７】
第２定着装置５は、第１定着装置４の記録シート搬送方向の下流側となる部位に配置されるものであり、特に高光沢で写真調の画質からなる画像を得るために有効な定着装置である。この第２定着装置５は、基本的に、矢印Ｃ方向に回転する加熱ロール５１と、剥離ロール５２と、ステアリングロール５３と、この各ロール５１〜５３に架け回された定着ベルト５４と、この定着ベルト５４を加熱ロール５１に押圧してニップを形成する加圧ロール５５と、定着ベルト５４のニップ下流側の部位を冷却する冷却器５６等を備えている。
【００２８】
加熱ロール５１は、熱伝導性の高い金属製円筒ロールに弾性層（例えばシリコーンゴム層）を被覆形成し、そのロール内部にハロゲンランプ等の加熱源を配置したものである。剥離ロール５２は、定着ベルト５４から記録シートＰをそのシート自身の剛性により剥離させるためのものである。このロール５２の外形寸法は、定着ベルト５４と記録シートＰの付着力、及び定着ベルト５４の剥離ロール５２への巻き付き角度によって決定される。ステアリングロール５３は、定着ベルト５４の回転時に発生する片寄り走行によりベルト端部が破損することを防止するために定着ベルト５４の進行方向を調整するためのものである。具体的には、そのロール５３の一方の軸を位置的に固定し、その他方の軸を図示しない変位機構により加熱ロール５１の軸線に対して傾くように変位させる仕組みになっている。加圧ロール５５は、熱伝導性の高い金属製円筒ロールに弾性層（例えばシリコーンゴム層）及び離型層（例えばＰＦＡ等のフッ素樹脂製チューブ）を被覆形成し、そのロール内部にハロゲンランプ等の加熱源を配置したものである。
【００２９】
定着ベルト５４は、熱硬化型のポリイミド製の無端状フィルム（７５μｍ以上）に表面が平滑なシリコーンゴム等の表面層（３０μｍ以上）を被覆形成したものである。冷却器５６は、実際には定着ベルト５４と密着している記録シートＰを冷却するためのものである。この冷却器５６は、加熱ロール５１と剥離ロール５２の間となる定着ベルト５４の内周面領域に配置され、その内周面に接触してベルト５４の熱を吸収するものであり、例えば放熱板等で構成されている。
【００３０】
また、第１定着装置４と第２定着装置５の間には、第１定着終了後の記録シートＰを第２定着装置５に搬送する第２定着用搬送路Ｒ２と、その記録シートＰを第２定着用搬送路Ｒ２の途中で分岐させて筐体１の外部に排出搬送する排出用搬送路Ｒ３が設けられている。さらに、排出用搬送路Ｒ３にて排出される記録シートＰをその表裏面を反転させた状態で給紙用搬送路Ｒ１に再送する反転再送路Ｒ４が設けられている。反転再送路Ｒ４は、排出用搬送路Ｒ３の途中で分岐して給紙用搬送路Ｒ１のレジストロール対３３の手前位置で合流するような状態で設けられている。この各搬送路Ｒ２〜Ｒ４はいずれも搬送ロール対とガイド部材等で構成されている。第２定着用搬送路Ｒ２と排出用搬送路Ｒ３の分岐点と排出用搬送路Ｒ３と反転再送路Ｒ４の分岐点には、記録シートＰを所定の搬送路側に切り換えて送りこむための搬送方向切換ゲート３５、３６がそれぞれ設けられている。図中の符号３７、３８はいずれも排出ロール対で、３９は排出トレイである。
【００３１】
前記したトナー像の二次転写された記録シートＰは、第１定着装置４に送りこまれて加熱ロール４１と加圧ベルト４２のニップを通過することにより加熱加圧される。これにより、トナー像が記録シートＰに定着される。第１定着装置４による第１定着が終了した記録シートＰは、以下の３つのいずれかの工程パターンを経ることになる。１つは、搬送方向切換ゲート３５の案内により第２定着用搬送路Ｒ２を通して第２定着装置５に搬送されて第２定着が施される。２つめは、搬送方向切換ゲート３５の案内により排出用搬送路Ｒ３側に送り込まれて排出ロール対３７により装置外部（排出トレイなど）に排出される。３つめは、両面画像形成時の工程パターンであり、排出用搬送路Ｒ３から搬送方向切換ゲート３６の案内により反転再送路Ｒ４を通して給紙用搬送路Ｒ１に反転した状態で再送され、そのシート裏面への画像形成（トナー像の二次転写）が行われる。
【００３２】
また、第２定着装置５による第２定着は次のように行われる。まず、第１定着後の記録シートＰが第２定着装置５に送り込まれると、その記録シートＰは定着ベルト５４と加圧ロール５５の間のニップを通過することにより加熱加圧され、そのニップを通過した後も定着ベルト５４に密着した状態のままで搬送される。続いて、定着ベルト５４に密着した記録シートＰは、冷却器５６により所定の温度まで冷却された後、剥離ロール５２のある部位において定着ベルト４７から剥離される。これにより、第１定着装置により定着されたトナー像は、定着ベルト５４の平滑表面が転写されて光沢感が付与された状態で記録シートＰに再び定着される。第２定着後の記録シートＰは、排出ロール対３８により排出トレイ３９上に排出される。
【００３３】
原稿読取装置８は、複写すべき原稿を光源により照明しつつ、その原稿からの画像の反射光をＣＣＤ（電荷結合素子）センサで読み取り、所要の画像信号処理を施した後に画像データとして入力するものである。この原稿読取装置で読み取った画像データは送信ケーブルを通じて画像処理ユニット６に送信される。
【００３４】
ＤＳＣデータの入力ユニット９は、デジタルスチルカメラの撮像データ及び撮影関連データからなるカメラデータをカード型、スティック型等の各種形態からなるメモリ媒体または通信手段等を介して入力するものである。撮像データとは、ＤＳＣで撮影して得られる画像のデータである。また撮影関連データとは、撮影日、撮影時間、撮影条件等に関するデータである。この撮影関連データは、例えば、ＪＰＥＧ形式等の撮像データの中にＪＰＥＧ規約等に準拠してテキスト形式で「Ｅｘｉｆ情報（Ｅｘｃｈａｎｇｅａｂｌｅ　Ｉｍａｇｅ　Ｆｉｌｅ　Ｆｏｒｍａｔ：エグジフ）」として埋め込まれている撮影に関する付帯データである。このＥｘｉｆ情報の場合には、撮像データによる画像が縮小された画像（サムネイル）の情報なども含まれている。
【００３５】
この入力ユニット９においては、カメラデータが記憶されたメモリ媒体を装着してデータの読み取りを行うメモリ媒体読取装置が組み込まれていたり、あるいは、その読取装置と通信ケーブルを使用してデータの読み取りを行うための接続端子が設けられている。また、画像形成装置の設置場所とは離れた別の場所からカメラデータを送信する通信ケーブルを接続する接続ポートや、無線通信の信号を受ける無線通信用読取部が設けられている。特に、この入力ユニット９においては、ＤＳＣの撮影関連データ（例えばＥｘｉｆ情報）を認識してテキスト形式等で読み取る処理手段を具備させている。この入力ユニット９で入力したカメラデータは、撮像データと撮影関連データに分けて画像処理ユニット６にそれぞれ送られる。
【００３６】
画像処理ユニット６は、図２に示すように、原稿読取装置８から送られる画像データとＤＳＣデータの入力ユニット９から送られるカメラデータについてそれぞれ所定の画像処理をして作像用データに変換した後、その作像用データを前記作像システム２における露光装置１３に送信するものである。
【００３７】
この画像処理ユニット６には、画像データとカメラデータの撮像データとの画像処理を行うイメージ画像処理部６１と、カメラデータの撮影関連データの画像処理を行う撮像関連処理部６２とが装備されている。イメージ画像処理部６１では、画像データや作像データに対して色変換処理、解像度処理、変倍処理、加工・編集処理等が施される。撮影関連処理部６２では、撮像関連データに対して操作表示ユニット１００から指示される内容に応じて所定の加工・編集処理等が施される。また、この画像処理ユニット６では、イメージ画像処理部６１からの撮像データに関する作像用データと撮影関連処理部６２からの撮像データに関する作像用データとの合成・編集処理を行うことも可能になっている。
【００３８】
例えば、ＤＳＣデータの入力ユニット９より送られたデータに対して、操作表示ユニット１００で出力したい撮像データの選択やその撮影日を画像右下部に記録するように指示を行うと、イメージ画像処理部６１では、その撮像データの色変換処理、解像度変換、変倍処理が行われる。一方、撮影関連処理部６２では、撮影日のデータが指定した出力画像中の位置に所望の大きさおよび色で出力されるような処理が行われるとともに、その処理後のデータを先の撮像データと合成する処理が行われる。
【００３９】
制御ユニット７は、画像形成装置のシステム全体の動作についての制御を行うものであり、作像システム２、給紙ユニット３、第１定着装置４、第２定着装置５、画像処理ユニット６、画像読取装置８、ＤＳＣデータの入力ユニット９、操作表示ユニット１００等に対して所要の制御信号を送出するようになっている。この制御ユニット７は、ＣＰＵ，ＲＯＭ，ＲＡＭ等にて構成されるマイクロコンピュータからなるものであり、ＲＯＭ等のメモリに格納されている制御プログラムと操作表示ユニット１００から入力される選択指示情報の内容に従って制御動作を実行するようになっている。後述する各動作に関する制御プログラムもＲＯＭ等のメモリに格納されている。
【００４０】
操作表示ユニット１００は、画像形成装置を使用する際の各種条件の設定や選択、決定、実行指示を入力するキー等が設けられた操作部１１０と、画像形成装置の設定および動作状態や各種条件の選択メニューや操作部１１０で入力された情報等を表示させる表示部１２０とで構成されている。表示部１２０は、一般的な液晶表示画面やランプであってもよいが、通常は、情報の表示に加えて情報の選択指示や入力も行うことができるタッチパネル式の液晶表示画面が使用される。この操作表示ユニット１００の操作部１１０で入力された指示情報は制御ユニット７に送信される。また、操作表示ユニット１００の表示部１２０には、制御ユニット７等の制御動作により所定の表示が行われる。
【００４１】
そして、このカラー画像形成装置においては、図３に示すように、操作表示ユニット１００から所定の指示を行うことにより、一般の画像出力（コピー、プリント）を行うことに加え、ＤＳＣからカメラデータを取り込んで所望の形式で画像出力を行うことができるようになっている。このような動作に関する制御プログラムは、前記した制御ユニット７のＲＯＭ等に格納されている。
【００４２】
すなわち、操作表示ユニット１００の操作部１１０において表示内容の切換設定を行う操作を行うことにより、その表示部１２０においてＤＳＣからのカメラデータに基づく出力以外の画像出力モード（一般の画像出力モード）（Ｍ１０）とＤＳＣ関連の画像出力モード（Ｍ１１）の一方を選択できる画面が表示され、そのいずれかの出力モードＭ１０，Ｍ１１を選択して指示することができる。このときの選択指示は、タッチパネル式の液晶表示画面からなる表示部１２０から直接行うか、または操作部１１０から行う（この選択指示については以後も同様である）。
【００４３】
このときＤＳＣ関連の画像出力モードを選択した場合には、表示部１２０にＤＳＣの入力ユニット９からのカメラデータの入力の促す表示（例えばメッセージ）が出される。これに従って、ＤＳＣの入力ユニット９からのカメラデータの入力作業を行う。
【００４４】
また、ＤＳＣ関連の画像出力モードを選択した場合には、表示部１２０にインデックス出力モード（Ｍ１２）と、撮像データのみの出力モード（Ｍ１３）と、撮像データと撮影関連データの合成出力モード（Ｍ１４）のいずれか１つを選択できる画像が表示され、そのいずれかの出力モードＭ１２〜Ｍ１４を任意に選択して指示することできる。
【００４５】
インデックス出力モードＭ１２は、図３に例示するように、基本的に、１枚又は数枚の記録シートＰに撮像データの全画像（例えば全画像が４つの画像Ａ，Ｂ，Ｃ、Ｄであると仮定した場合）のサムネイル（縮小画像）ＳＧとして出力する形式である。また、インデックス出力モードでは、このサムネイルＳＧの出力に加えて、撮影関連データの画像ＳＫを併せて出力するように構成してもよい。このような合成出力は、その合成画像を予め設定しておくか、あるいは、インデックス出力の選択時に操作表示ユニット１００において任意に加工編集できるような構成にする。
【００４６】
撮像データのみの出力モード（写真プリントモード）は、撮像データに基づく画像のみを出力する形式である。撮像データ出力モードＭ１３の出力は、写真調の高光沢な画像出力が可能である前記写真用記録紙Ｐ２に対して行われる。また、この出力モードＭ１３を選択した場合には、表示部１２０に撮像データの全画像（Ａ〜Ｄ）を出力するモード（Ｍ１５）とその全画像（画像Ａ〜Ｄ）のうちから指定した一部の画像（例えば画像ＢとＤ）を出力するモード（Ｍ１６）を選択できる画像が表示され、そのいずれかの出力モードＭ１５、Ｍ１６を任意に選択して指示することできる。一部の画像を出力するモードＭ１６を選択した場合には、表示部１２０に撮像データの全画像に関する識別番号等の判別情報が表示され、その識別番号等に基づいて出力したい画像を選択指定することになる。
【００４７】
合成出力モード（撮影情報付き写真プリントモード）Ｍ１４は、撮像データの画像に併せて撮影関連データの画像ＳＫを出力する形式である。また、この合成出力モードＭ１４を選択した場合には、表示部１２０に撮影関連データの画像ＳＫの出力場所を選択できる画像が表示される。すなわち、写真用記録紙Ｐ２の表面（撮像データの画像Ａが出力される面）に出力する表面出力モードＭ１７と、その裏面のみに出力する裏面出力モードＭ１８と、その表裏両面に出力する両面出力モードＭ１９とを選択できる画像が表示され、そのいずれかの出力モードＭ１７〜Ｍ１９を任意に選択して指示することできる。この各モードで出力する撮影関連データの画像ＳＫの種類（撮影日、撮影条件など）や、その出力位置（各面のなかでの出力場所）、出力色、出力サイズ等については、予め定められているか又は操作表示ユニット１００において任意に選択指定できるように構成されている。
【００４８】
また、このカラー画像形成装置においては、図４に示すように、前記した各出力モードに応じて作像工程と定着工程の順番や種類が適宜組み合わせられた所定射の画像形成プロセスパターンに選択設定されて画像形成動作が実行されるようになっている。このような動作に関する制御プログラムについても、前記した制御ユニット７のＲＯＭ等に格納されている。
【００４９】
すなわち、画像形成を行うに際して、前記ＤＳＣ関連の画像出力（ＤＳＣ関連の画像出力モードＭ１１の選択）であるか否かが判断される（ステップ：Ｓ１０）。この際、その画像出力でないと判断された場合（具体的には前記一般の画像出力モードＭ１０が選択された場合）には、作像工程を実行した後に第１定着装置４による第１定着のみを実行するプロセスパターンＧＰ１が選択される。このプロセスパターンＧＰ１では、通常、記録シートＰとして前記した普通紙Ｐ１が使用される。
【００５０】
一方、ステップＳ１０においてＤＳＣ関連の画像出力であると判断された場合には、その出力がインデックスの画像出力（インデックス出力モードＭ１２の選択）であるか否かが判断される（Ｓ１１）。その画像出力であると判断された場合には、写真調の高光沢の出力は特に必要でないため、前述した第１定着のみを行うプロセスパターンＧＰ１が選択される。
【００５１】
また、ステップＳ１１においてインデックスの画像出力でないと判断された場合（具体的には撮像データの出力モードＭ１３または合成出力モードＭ１４が選択された場合）には、その画像出力が撮像データのみの画像出力であるかが否かが判断される（Ｓ１２）。この際、その画像出力であると判断されたとき（撮像データの出力モードＭ１３が選択されている場合）には、記録シートＰの表面への作像工程を実行した後に第１定着を行い、さらに第２定着装置５による第２定着を実行するプロセスパターンＧＰ２が選択される。
【００５２】
一方、ステップＳ１２において撮像データのみの画像出力ではないと判断された場合（合成出力モードＭ１４が選択された場合）には、その出力の撮影関連データの出力面が表面であるか、または裏面若しくは両面のいずれであるかが判断される（Ｓ１３）。その出力面が表面であると判断された場合（具体的には表面出力モードＭ１５が選択された場合）には、前述したプロセスパターンＧＰ２が選択される。この場合、撮影関連データの画像の出力は、撮像データの画像の作像工程と併せて行われる。
【００５３】
また、ステップＳ１３においてその出力面が裏面若しくは両面であると判断された場合（具体的には裏面出力モードＭ１８または両面出力モードＭ１９が選択された場合）にはいずれも、記録シートＰの表面への撮像データ（および撮影関連データ）の作像工程を実行した後に第１定着を行い、しかる後に、その裏面への撮影関連データの作像工程を実行した後に第２定着を実行するプロセスパターンＧＰ３が選択される。両面出力モードＭ１９が選択された場合、その表面に出力する撮影関連データの画像ＳＫ１とその裏面に出力する撮影関連データの画像ＳＫ２は異なるものであるが、一部重複するようなものであっても構わない。
【００５４】
以下、前述した各出力モードが選択されたときの画像形成装置の主な各動作（作像工程以降の動作）について説明する。
【００５５】
まず、一般の画像出力モードＭ１０が選択された場合には、画像処理ユニット６のイメージ画像処理部６１から作像システム２の露光装置１３に対し、原稿読取装置８で入力した画像データを変換してなる作像用データが送られる。そして、その作像システム２において、当該作像用データに基づくトナー像の形成が行われるとともに給紙カセット３１Ａから給紙される普通紙Ｐ１に転写される。次いで、そのトナー像が転写された普通紙Ｐ１は、第１定着装置４により定着された後、搬送方向切換ゲート３５の案内により排出搬送路Ｒ３を通して排出される。これにより、普通紙Ｐ１の片面に原稿読取装置８で入力した画像データに基づく一般の画像が形成される。
【００５６】
また、両面画像形成を行う場合には、記録紙Ｐ２の片面への画像形成（トナー像の転写と第１定着）が終了した後に、搬送方向切換ゲート３６の案内により反転搬送路Ｒ４を経て作像システム２に再送されて第１定着装置４へ送られることにより、その裏面への画像形成がなされ、最後に排出搬送路Ｒ３を通して排出される。これにより、普通紙Ｐ１の両面に画像が形成される。
【００５７】
次に、ＤＳＣ関連の画像出力モードが選択された後にインデックスの出力モードＭ１２が選択された場合には、画像処理ユニット６の撮影関連処理部６２から作像システム２の露光装置１３に対し、ＤＳＣの入力ユニット９からの撮影関連データ（少なくともサムネイルの画像データ）を変換してなる作像用データが画像処理ユニット６から送られる。そして、作像システム２において、その作像用データに基づくトナー像の形成が行われるとともに給紙カセット３１Ａから給紙される普通紙Ｐ１への転写が行われる。続いて、そのトナー像が転写された普通紙Ｐ１は、第１定着装置４に送られて定着された後、排出搬送路Ｒ３を通して排出される。
【００５８】
これにより、普通紙Ｐ１の片面に少なくともサムネイルの画像が形成される（図３の出力例を参照）。また、このサムネイル画像が形成された普通紙Ｐ１を見ることにより、写真プリントすべき画像（撮像データの画像）を容易に選別することができる。したがって、このインデックスの出力モードの選択実行は、写真プリントすべき画像を選別してから写真プリントを行う際にそのサムネイルの出力画像が判断材料として使えて有効となる。また、普通紙に出力することにより経済的でもあり無駄がない。さらに、このインデック出力により写真プリント出力する画像を選定することにより、不要な画像の写真プリントを行わないで済むため、この点でも無駄がない。
【００５９】
また、ＤＳＣ関連の画像出力モードが選択された後に撮像データのみの出力モード（写真プリントモード）Ｍ１３が選択された場合には、全画像出力モードＭ１５と一部画像出力モードＭ１６のいずれかを選択した後、画像処理ユニット６のイメージ処理部６１から作像システム２の露光装置１３に対し、ＤＳＣの入力ユニット９からの作像データ（全画像又は一部の画像）を変換してなる作像用データが画像処理ユニット６から送られる。そして、作像システム２において、その作像用データに基づくトナー像の形成がなされるとともに給紙カセット３１Ｂから給紙される写真用記録紙Ｐ２の表面（受像層７２の形成面）への転写が行われる。次いで、そのトナー像が転写された写真用記録紙Ｐ２は、第１定着装置４に送られて定着された後、搬送方向切換ゲート３５の案内により第２定着用搬送路Ｒ２を通して第２定着装置５に送られて再定着され、最後に排出トレイ３９上に排出される。
【００６０】
これにより、写真用記録紙Ｐ２の片面（受像層７２の形成面）に撮像データに基づく写真調の画像が形成される（図３の出力例を参照）。特に、この受像層７２が形成された写真用記録紙Ｐ２を使用して写真プリントを行った場合には、図６ａに示すように、そのトナー像が第１定着において加熱溶融されて受像層７２の表面に少し埋没するとともにその表面から少し突出した状態（トナー像Ｔ１）になるが、図６ｂに示すように、第１定着後のトナー像Ｔ１が第２定着において受像層７２にほぼ完全に埋没しかつ表面が平滑な状態（トナー像Ｔ２）となる。これは、図７に示すように、第２定着装置５において加熱ロール５１と加圧ロール５５により加熱加圧されて溶融した写真用記録紙Ｐ２の受像層７２とその受像層７１に同じく溶融されて押し込まれた状態にある第１定着後のトナー像Ｔ１とが冷却器５６によって冷却されることで、そのトナー像Ｔ１を含む受像層７２の全面を定着ベルト５４の表面にならった平滑な表面状態で固化させているためであると推測される。この結果、高い光沢が得られる写真調画像の形成が可能になっている。図７中の符号５７は加熱源としてのハロゲンランプである。
【００６１】
また、この写真プリントモード選択時において一部画像出力モードＭ１６を選択して実行する場合には、その出力に先立って前述したインデックス出力を行うことにより、その出力すべき画像を簡易迅速に選定して出力することができる。この結果、撮像データのうちで所望の画像のみを光沢のある高画質で出力することが可能になる。
【００６２】
次に、ＤＳＣ関連の画像出力モードが選択された後に合成出力モード（撮影情報付き写真プリントモード）Ｍ１４が選択され、さらに表面出力モードＭ１７が選択された場合には、画像処理ユニット６のイメージ処理部６１及び撮像関連処理部６２から作像システム２の露光装置１３に対し、ＤＳＣの入力ユニット９からの作像データ（全画像又は一部の画像）と撮像関連データを変換し合成してなる作像用データが画像処理ユニット６から送られる。そして、作像システム２において、その作像用データに基づくトナー像の形成がなされるとともに給紙カセット３１Ｂから給紙される写真用記録紙Ｐ２の表面への転写が行われる。続いて、そのトナー像が転写された写真用記録紙Ｐ２は、第１定着装置４に送られて定着された後、さらに第２定着装置５に送られて再定着され、最後に排出トレイ３９に排出される。
【００６３】
これにより、写真用記録紙Ｐ２の表面に撮像データに基づく写真調の画像が形成されるとともに撮影関連データに基づく撮影日等の情報が形成される（図３の出力例を参照）。この場合には、撮影した画像に加えて、その撮影した日などの情報を同じ表面上で知ることができ便利である。また、これにより撮影画像の簡易な管理が可能となる。
【００６４】
次に、上記合成出力モードＭ１４が選択された後、裏面出力モードＭ１８が選択された場合には、画像処理ユニット６のイメージ処理部６１及び撮像関連処理部６２から作像システム２の露光装置１３に対し、ＤＳＣの入力ユニット９からの作像データ（全画像又は一部の画像）と撮像関連データを変換してなる作像用データが画像処理ユニット６から別々に送られる。そして、作像システム２において、最初に、その撮影関連データの作像用データに基づくトナー像の形成がなされるとともに給紙カセット３１Ｂから給紙される写真用記録紙Ｐ２の裏面への転写が行われる。この場合、その裏面へのトナー像の転写を行うためには、写真用記録紙Ｐ２は給紙カセット３１Ｂにその裏面を上方にした状態で収容しておくか、或いはその表面を上方にした状態で収容しておき一度反転搬送路Ｒ４を通した後に二次転写位置に送るようにする必要がある。
【００６５】
この撮影関連データに基づくトナー像が裏面に転写された記録紙Ｐ２は、第１定着装置４に送られて定着された後、搬送方向切換ゲート３５の案内により排出搬送路Ｒ３に搬送され、さらに搬送方向切換ゲート３６の案内により反転搬送路Ｒ４側に送り込まれる。一方、作像システム２においては、撮像データの作像用データに基づくトナー像の形成がなされるとともに、反転搬送路Ｒ４から再送される前記写真用記録紙Ｐ２の表面に対するそのトナー像の転写が行われる。次いで、そのトナー像が表面に転写された写真用記録紙Ｐ２は、第１定着装置４に送られて定着された後、さらに第２定着装置５に送られて再定着され、最後に排出トレイ３９に排出される。
【００６６】
これにより、写真用記録紙Ｐ２の表面に撮像データに基づく写真調の画像が形成されると同時に、その裏面に撮影関連データに基づく撮影日、撮影条件等の情報が形成される（図３の出力例を参照）。この場合には、撮影した画像に加えて、その撮影した日などの情報を記録紙の裏面を見ることで知ることができ便利である。しかも、撮影情報が裏面に形成されているため、撮影画像の一部が撮影情報によって隠されてしまうことがなくその撮影画像を単独で鑑賞することができるうえに、撮影情報については必要なときのみ記録紙を裏返すことで簡単に確認することができる。そして、記録紙Ｐ２の裏面を可能な限り使って、その裏面に多くの撮影情報を記録した場合には、撮影画像の管理を多くの撮影情報と併せて十分に行うことが可能となる。
【００６７】
次に、上記合成出力モードＭ１４が選択された後、両面出力モードＭ１９が選択された場合には、表面出力モードＭ１７の選択時の動作と裏面出力モードＭ１８の選択時の動作とを混合したような画像形成が行われる。すなわち、初めに、写真用記録紙Ｐ２の裏面に撮影関連データの一部の画像ＳＫ１に対応するトナー像を形成した後に第１定着装置４のみによる定着を行う。続いて、その表面に撮像データの画像と撮影関連データの一部の画像ＳＫ２に対応するトナー像を形成した後に第１定着装置４による定着と第２定着装置５による再定着を行う。
【００６８】
これにより、写真用記録紙Ｐ２の表面に撮像データに基づく写真調の画像と撮影関連データに基づく撮影日等の情報ＳＫ１とが形成されると同時に、その裏面に撮影関連データに基づく撮影条件等の情報ＳＫ２が形成される（図３の出力例を参照）。この場合には、撮影した画像に加えて、その撮影した日などの情報を記録紙の表面から知ることができるとともにその裏面を見ることで他の撮影情報を知ることができ、きわめて便利である。そして、記録紙Ｐ２の裏面を可能な限り使って、その裏面に多くの撮影情報を記録した場合には、撮影画像の管理を多くの撮影情報と併せて十分に行うことが可能となる。
【００６９】
《他の実施の形態》
実施の形態１に係る画像形成装置においては、図８に示すように、第１定着装置４の定着処理可能な記録シートＰの搬送方向（矢印Ｅ方向）と直交する方向の最大サイズＷ１が、第２定着装置５の定着処理可能な記録シートの搬送方向と直交する方向の最大サイズＷ２よりも大きい関係（Ｗ１＞Ｗ２）となるように設定することが好ましい。なお、一般の画像出力モードＭ１０の選択時において、必要であれば、その画像（トナー像）を出力した記録シート（例えば普通紙Ｐ２）を第１定着装置５と第２定着装置５の双方で定着するように構成してもよい。
【００７０】
第１定着装置４の上記記録シートＰの最大サイズＷ１は、通常、加熱ロール４１のロール長さによって支配されるものであり、例えばＡ４版用紙横送り（換言すればＡ３版用紙の縦送り）のときの幅寸法（２９７ｍｍ）に設定することができる。一方、第２定着装置５の上記記録シートＰの最大サイズＷ２は、通常、定着ベルト５４のベルト幅によって支配されるものであり、例えばＡ６版用紙縦送りのときの幅寸法（１０５ｍｍ）に設定することができる。
【００７１】
このように第１定着装置４と第２定着装置５の定着処理可能な記録シートの最大サイズＷ１，Ｗ２を「Ｗ１＞Ｗ２」の関係に設定した場合には、第２定着装置５を撮像データの画像出力（写真プリントモードまたは撮影情報付き写真プリントモード）のときの専用定着装置として使用することができる。これにより、例えば前記した写真用記録紙Ｐ２としてその最大サイズＷ２がＡ６版用紙縦送りのサイズと同じ又はそれよりも小さいものを使用する場合、その第２定着装置５ではそのＡ６版用紙縦送り相当のサイズからなる写真用記録紙Ｐ２の定着を必要十分な環境で行うことが可能となる。これに対し、仮に第２定着装置５の上記最大サイズＷ２を第１定着装置４の上記最大サイズＷ１と同じサイズに設定した場合と比べると、この構成では、かかる第２定着装置５による写真用記録紙Ｐ２の定着を行うに際し、その定着に直接寄与しない余分な定着領域（少なくとも最大サイズの差分：Ｗ１−Ｗ２）が発生してしまい、無駄が多くなり適切でない。
【００７２】
また、実施の形態１に係る画像形成装置において第１定着装置４と第２定着装置５の上記最大サイズを「Ｗ１＞Ｗ２」の関係に設定した場合には、図９に示すように、出力画像のサイズＷ０（記録シートの搬送方向と直交する方向の最大サイズ）が確定した段階で、制御ユニット７においてそのサイズＷ０の情報に基づいて当該出力時の定着処理パターンを自動的に選定するように構成するとよい。このような動作に関する制御プログラムは前記した制御ユニット７のＲＯＭ等に格納される。
【００７３】
すなわち、画像形成開始前の操作表示ユニット１００における設定や指示の決定により出力画像のサイズＷ０が確定した段階で（ステップ：Ｓ２０）、そのサイズＷ０が第２定着装置５の上記最大サイズ（Ｗ２）以下のサイズであるか否かを判断する（Ｓ２１）。この際、サイズＷ０が最大サイズ（Ｗ２）以下であると判断された場合には、第１定着装置４による第１定着をした後に第２定着装置５による第２定着（再定着）を行う定着処理パターンＴＰ１が選択される。反対に、サイズＷ０が最大サイズ（Ｗ２）以下ではないと判断された場合には、第１定着装置４による第１定着のみを行う定着処理パターンＴＰ２が選択される。
【００７４】
このような画像出力時における定着処理パターンの自動的な選定を行うように構成した場合には、写真プリントモードＭ１３，Ｍ１４が選択されたときに、そのＬ版サイズ相当の写真用記録紙Ｐ２に対して第１定着と第２定着という２段階の定着処理が確実に実行されるようになり、高光沢な写真調の画像が得られる。また、最大サイズＷ２以上のサイズの用紙が誤って第２定着装置６に突入して不要な紙詰まりや装置故障が発生することを防止できるようになる。
【００７５】
さらに、実施の形態１では、第１定着装置４としてベルトニップ式のものを、第２定着装置５として冷却器を備えたベルト定着装置を使用する場合について例示したが、本発明ではこれらに限定されない。ただし、第２定着装置５としては、光沢感が発揮されるような定着処理が可能なタイプの定着装置を使用することが望ましい。また、第２定着装置５は、筐体１の外部に接続配置して使用する形態のものとしても構わない。
【００７６】
また、実施の形態１では、作像システム２としてドラム形態の感光体（１１）を使用する場合について例示したが、本発明においてはベルト形態の感光体を適用してもよい。さらに、作像システム２としては、感光ドラム１１を１つにし、その感光ドラムの周囲に４つの現像装置（前記４色の現像剤を個々に収容するもの）を順次対向配置させる構成や、その感光ドラムに４つの現像装置を１つずつ変位移動させて対向させる構成のものを使用してもよい。
【００７７】
【発明の効果】
以上説明したように、本発明の画像形成装置によれば、ＤＳＣの撮像データを高画質で出力できるうえに、その出力すべき撮像データの対象を簡易迅速に選定して出力することができ、また、撮像データ以外の撮影関連データについても必要に応じて適宜出力することができる。
【００７８】
この結果、例えばＤＳＣによる多数の撮影画像があったときでも、例えば撮影関連データからその全撮影画像をサムネイルによるインデックス情報として一般の画像形成で出力した後、その情報をもとに出力すべき撮像データの対象を簡易迅速に選定することができ、しかも、その出力したい撮像データの画像のみを２段階の定着を行うことにより高画質で出力することができる。
【００７９】
また、その撮像データの画像に加えて撮影関連データの画像を記録シートに付加して出力することにより、記録シートへの画像出力を行うことのみで撮像データの画像と撮影関連データとを一括して管理することができる。この場合には、従前のようなＰＣで管理用のソフトを使用して管理することは不要となる。
【図面の簡単な説明】
【図１】実施の形態１に係るカラー画像形成装置を示す概要図。
【図２】主な構成ユニットとそのユニット間の関係を示すブロック図。
【図３】画像出力の種類および形式の選択指示の内容とその各出力例とを示す説明図。
【図４】画像形成プロセスパターンを選定する際の制御内容を示すフローチャート。
【図５】記録シートとしての写真用記録紙を示す概略断面図。
【図６】写真用記録紙に画像出力を行って定着処理をしたときの状態を示すもので、（ａ）は第１定着後の状態を示す概略断面図、（ｂ）は第２定着後の状態を示す概略断面図。
【図７】第２定着装置による定着処理の状態を示す要部説明図。
【図８】第１定着装置および第２定着装置における定着処理可能な記録シートの各最大サイズとその関係を示す説明図。
【図９】定着処理パターンを選定する際における制御内容を示すフローチャート。
【符号の説明】
２…作像システム（作像ユニット）、４…第１定着装置、５…第２定着装置、６…画像処理ユニット（画像処理手段）、７…制御ユニット（制御手段）、８…原稿読取装置（第２入力手段）、９…ＤＳＣの入力ユニット（第１入力手段）、７２…受像層、１００…操作表示ユニット（指示手段）、Ｐ…記録シート、Ｐ２…写真プリント用記録紙（受像層を形成した記録シート）、Ｔ…トナー像（未定着画像）、Ｅ…搬送方向、Ｗ１…第１定着装置の最大サイズ、Ｗ２…第２定着装置の最大サイズ。
【図１】
2004106417.tif 000003
【図２】
2004106417.tif 000004
【図３】
2004106417.tif 000005
【図４】
2004106417.tif 000006
【図５】
2004106417.tif 000007
【図６】
2004106417.tif 000008
【図７】
2004106417.tif 000009
【図８】
2004106417.tif 000010
【図９】
2004106417.tif 000011